(57)【要約】【課題】  クリップ（２８）を備える筆記具（１０）を取り付ける上での堅固さを向上する。【解決手段】  本筆記具に設けられたクリップ（２８）は、クリップ（２８）が係合する筆記具部品に対し、軸線を中心として回転自在であり、筆記具部品の外面は、少なくともクリップ（２８）との接触領域で、半径が徐々に又は連続的に変化する半径方向断面を有する。【選択図】  図１
2007223319.tif 000002
【特許請求の範囲】
【請求項１】
クリップ（２８）を備える筆記具（１０）において、前記クリップ（２８）は、前記クリップ（２８）が係合する筆記具部品に対し、軸線を中心として回転自在であり、前記筆記具部品の外面は、少なくとも前記クリップ（２８）との接触領域で、半径が徐々に又は連続的に変化する半径方向断面を有する、ことを特徴とする筆記具（１０）。
【請求項２】
請求項１に記載の筆記具（１０）において、前記筆記具部品は第１ハウジング部品（１２）である、ことを特徴とする筆記具（１０）。
【請求項３】
請求項１又は２に記載の筆記具（１０）において、前記クリップ（２８）は、第２ハウジング部品（１４）に配置される、ことを特徴とする筆記具（１０）。
【請求項４】
請求項３に記載の筆記具（１０）において、前記クリップ（２８）は、前記第２ハウジング部品（１４）に回転自在に連結される、ことを特徴とする筆記具（１０）。
【請求項５】
請求項４に記載の筆記具（１０）において、前記クリップ（２８）は、前記第２ハウジング部品（１４）に取り付けられる、ことを特徴とする筆記具（１０）。
【請求項６】
請求項４に記載の筆記具（１０）において、前記クリップ（２８）は、前記第２ハウジング部品（１４）に射出成形されている、ことを特徴とする筆記具（１０）。
【請求項７】
請求項４に記載の筆記具（１０）において、前記クリップ（２８）は、前記第２ハウジング部品（１４）と一体成形されている、ことを特徴とする筆記具（１０）。
【請求項８】
請求項１乃至７のうちのいずれか一項に記載の筆記具（１０）において、前記クリップ（２８）又は前記第２ハウジング部品（１４）は、前記筆記具部品又は前記第１ハウジング部品（１２）に対し、好ましくは９０°回転できる、ことを特徴とする筆記具（１０）。
【請求項９】
請求項１乃至８のうちのいずれか一項に記載の筆記具（１０）において、前記クリップ（２８）は、少なくとも二つの回転位置で係止できる、ことを特徴とする筆記具（１０）。
【請求項１０】
請求項９に記載の筆記具（１０）において、前記二つの回転位置は、回転範囲の最外端にある二つの回転位置である、ことを特徴とする筆記具（１０）。
【請求項１１】
請求項１乃至１０のうちのいずれか一項に記載の筆記具（１０）において、前記クリップ（２８）の自由端（３６）は、前記筆記具（１０）の筆記端に向かって差し向けられている、ことを特徴とする筆記具（１０）。
【請求項１２】
請求項１乃至１０のうちのいずれか一項に記載の筆記具（１０）において、前記クリップ（２８）の前記自由端（３６）は、前記筆記具（１０）の筆記端から遠ざかる方向に差し向けられている、ことを特徴とする筆記具（１０）。
【請求項１３】
請求項１１又は１２に記載の筆記具（１０）において、前記クリップ（２８）の前記自由端（３６）は、前記筆記具（１０）から遠ざかる方向に曲げられている、ことを特徴とする筆記具（１０）。
【請求項１４】
請求項１乃至１３のうちのいずれか一項に記載の筆記具（１０）において、前記クリップ（２８）は、少なくともその回転範囲の部分に亘って、前記筆記具部品に向かって機械的にプレテンションが加えられている、ことを特徴とする筆記具（１０）。
【請求項１５】
請求項１乃至１４のうちのいずれか一項に記載の筆記具（１０）において、前記筆記具部品の外面は、少なくとも前記クリップ（２８）との接触領域に、楕円形断面を有する、ことを特徴とする筆記具（１０）。
【請求項１６】
請求項１乃至１５のうちのいずれか一項に記載の筆記具（１０）において、前記クリップ（２８）は金属製である、ことを特徴とする筆記具（１０）。
【請求項１７】
請求項１乃至１５のうちのいずれか一項に記載の筆記具（１０）において、前記クリップ（２８）はプラスチック製である、ことを特徴とする筆記具（１０）。
【請求項１８】
請求項１乃至１７のうちのいずれか一項に記載の筆記具（１０）において、前記筆記具部品はプラスチック製である、ことを特徴とする筆記具（１０）。
【請求項１９】
請求項１乃至１０のうちのいずれか一項に記載の筆記具（１０）において、前記筆記具部品は金属製である、ことを特徴とする筆記具（１０）。
【発明の詳細な説明】
【技術分野】
【０００１】
本発明は、クリップを備える筆記具に関する。この筆記具は、例えば、万年筆、スタイラス、ローラーボールペン、又はボールペンであってもよい。筆記具は、更に、筆記端即ちペン先を内方に及び外方に移動するための機構を備えていてもよく、下ろしたり／引っ込めたりできる筆記端即ちペン先を備えていてもよい。
【背景技術】
【０００２】
周知の筆記具は、シャツやジャケットのポケット、例えばスポーツジャケットのポケットに挿してクリップによって取り付けられる。更に、周知の筆記具は、筆記パッド又はケースにクリップによって取り付けられる。取り付けは、クリップを押し離し又は持ち上げて離すことにより、筆記具の外面とクリップとの間に、特にクリップ脚部又はへッドとの間に挿入開口部を形成し、例えばシャツやジャケットのポケットの布又は紙や板紙を挿入開口部と係合することによって行われる。
【０００３】
しかしながら、例えばシャツやジャケットの布又は紙や板紙等の材料は厚さが様々であり、そのため、このような筆記具を、例えばシャツやジャケットのポケット等にクリップで取り付ける上での満足度は様々である。
【発明の開示】
【発明が解決しようとする課題】
【０００４】
従って、本発明の目的は、筆記具をクリップで取り付ける上での堅固さを向上することである。
【課題を解決するための手段】
【０００５】
上記問題点は、クリップを備える本発明による筆記具により解決される。本発明による筆記具のクリップは、クリップが係合する筆記具部品に対し、軸線を中心として回転自在であり、筆記具部品の外面は、少なくともクリップとの接触領域で、半径が徐々に又は連続的に変化する半径方向断面を有する。例えばクリップ又は筆記具部品のいずれかが軸線を中心として回転自在であることにより相対的に移動する。
【０００６】
詳細には、筆記具部品は第１ハウジング部品であってもよい。例えば、第１ハウジング部品は、筆記具のへッド部品であってもよい。
【０００７】
更に、クリップを第２ハウジング部品に配置してもよい。別の態様では、クリップを回転キャップ又は回転ボタンに配置することが考えられる。
【０００８】
本発明の別の実施例によれば、クリップは、第２ハウジング部品に回転自在に連結される。第２ハウジング部品は、軸線を中心として回転自在であってもよい。別の態様では、第１ハウジング部品は、軸線を中心として回転自在であってもよい。更に、クリップを第２ハウジング部品に取り付けてもよい。
【０００９】
別の態様では、クリップを第２ハウジング部品に射出成形してもよい。例えば、第２ハウジング部品は、プラスチック射出成形プロセスによって製造してもよく、この場合、金属製のクリップは、第２ハウジング部品のプラスチック材料と異なるプラスチック材料内に射出成形され、又はこの材料によって取り囲まれる。
【００１０】
クリップを第２ハウジング部品と一体成形することもできる。
【００１１】
適当には、クリップ又は第２ハウジング部品は、筆記具部品又は第１ハウジング部品に対し、好ましくは９０°回転できる。
【００１２】
有利には、クリップは、少なくとも二つの回転位置で係止できる。
【００１３】
詳細には、二つの回転位置は、回転範囲の最外端にある二つの回転位置である。例えば、回転範囲が９０°に亘って延びている場合には、二つの回転位置は０°位置又は９０°位置であってもよい。
【００１４】
更に、クリップの自由端は、筆記具の筆記端即ちペン先に向かって差し向けられていてもよい。
【００１５】
別の態様では、クリップの自由端は、筆記具の筆記端即ちペン先から遠ざかる方向に差し向けられていてもよい。
【００１６】
適当には、クリップ端は、筆記具から遠ざかる方向に曲げられている。これにより、シャツやジャケットの布又は紙、板紙、等に挿して取り付けるのを容易にできる。
【００１７】
有利には、クリップは、少なくともその回転範囲の部分に亘って、筆記具部品に向かって機械的にプレテンションが加えられている。
【００１８】
本発明の別の実施例によれば、筆記具部品の外面は、少なくともクリップとの接触領域に、楕円形断面を有する。
【００１９】
クリップは、更に、金属製であってもよい。
【００２０】
別の態様では、クリップはプラスチック製であってもよい。
【００２１】
適当には、筆記具部品はプラスチック製である。
【００２２】
別の態様では、筆記具部品は金属製であってもよい。
【００２３】
本発明は、軸線を中心として回転自在であるというクリップの設計、及び少なくともクリップとの接触領域で、半径が徐々に又は連続的に変化する半径方向断面を有するという筆記具部品の外面の設計により、挿入開口部の幅が半径方向で大きくなるか或いはクリップのプレテンションを予定通りに調節でき、そのため、クリップを備えた筆記具を、例えばシャツやジャケットの布等の様々な厚さの材料にしっかりと取り付けることができるという驚くべき発見に基づくものである。この目的のため、クリップは、調節自在に又は予定通りに、軸線を中心として回転自在である。
【００２４】
本発明のこの他の特徴及び利点は、特許請求の範囲及び以下の説明を添付の概略図に示す実施例を参照して読むことにより、理解されよう。
【発明を実施するための最良の形態】
【００２５】
添付図面に示す筆記具１０は万年筆である。この万年筆は、とりわけ、筆記具１０の後端の第１ハウジング部品１２と、この第１ハウジング部品に連結された第２ハウジング部品１４と、この第２ハウジング部品に連結された、万年筆のペン先１８が配置された第３ハウジング部品１６と、ペン先１８を覆うキャップ２０とを含む。第１ハウジング部品１２は、第２ハウジング部品１４に軸線を中心として回転自在に連結されている。第２ハウジング部品１４は、ねじ連結部２２（図６参照）によって第３ハウジング部品１６に連結されている。第１及び第２のハウジング部品１２、１４によって形成されたキャビティ内に２つのインクカートリッジ２４及び２６（図６参照）を配置できる。
【００２６】
第２ハウジング部品１４にはクリップ２８が取り付けられている。このクリップは、ほとんど閉鎖したリング３０と、このリングから、リングの中央軸線と実質的に平行に延びる２つのクリップ脚部３２、３４とを含む。これらのクリップ脚部３２、３４は、それらの自由端のところが接合されている（図５ａ乃至図５ｄ参照）。前記クリップ脚部３２、３４は、自由端３６が第１ハウジング部品１２から遠ざかるように曲がった脚部を形成する。二つのクリップ脚部３２、３４によって形成されたクリップ脚部には、この角度位置において、第１ハウジング部品１２に向かって機械的プレテンションが加えられていない。自由端３６が遠ざかるように曲がっていることにより、シャツやスポーツジャケットのポケットを形成する布を挿入開口部３８を通して入れるのが容易である。
【００２７】
図１からわかるように、クリップ２８又はクリップ脚部３２、３４が形成するクリップ脚部は、筆記端、この場合にはペン先１８から離れている。
【００２８】
図２は、第１ハウジング部品１２の外面が楕円形断面を備えていることを示す。
【００２９】
図３では、第１ハウジング部品１２は、図１の第１ハウジング部品１２に対し、及び従って第２ハウジング部品１４に対し、軸線を中心として９０°回転させてある。このように回転させることにより、挿入開口部３８が半径方向で狭幅になり、クリップ脚部３２、３４が形成するクリップ脚部が、第１ハウジング部品１２に対し、機械的プレテンションが加えられる。その結果、薄い材料に対してクリップ２８を更に良好に即ち更に固定的に取り付けることができる。
【００３０】
図７からわかるように、クリップ脚部３２、３４が形成するクリップ脚部は、第１ハウジング部品１２が図１、図２、及び図６に示す角度位置にある場合には、第１ハウジング部品１２と係合していない。これは、図３及び図４に示すように、第１ハウジング部品１２を軸線を中心として９０°回転させたときにのみ生じる。
【００３１】
図８ａ及び図８ｂから明らかなように、第２ハウジング部品１４と向き合った第１ハウジング部品１２の端部にはスタッド４０が設けられている。このスタッド４０は、第１ハウジング部品１２と向き合った第２ハウジング部品１４の縁部に設けられた実質的に四分円形体の溝４２内を移動し、即ちこの溝内を案内される（図９ａ及び図９ｂ参照）。従って、第１ハウジング部品１２の回転範囲は約９０°の角度に限定される。スタッド４０に設けられたウェブ４４は、最外回転位置（０°及び９０°）で、四分円形体溝４２のノッチ４６、４８の夫々と係合する。
【００３２】
図９ａからわかるように、第２ハウジング部品１４は窪み５０を備えており、ここにクリップ２８のリング３０が、実質的に第２ハウジング部品１４上に半径方向に突出することなく受け入れられる。
【００３３】
以上の説明、添付図面、及び特許請求の範囲に開示した本発明の特徴は、個々に又はランダムに組み合わせることができる。これは、本発明の様々な実施例を実施する上で重要である。
【図面の簡単な説明】
【００３４】
【図１】図１は、本発明の一実施例による筆記具の側面図である。
【図２】図２は、図１の筆記具を右側から見た図である。
【図３】図３は、第１ハウジング部品を第２ハウジング部品に対し、軸線を中心として、図１に示す状態から９０°回転させた、図１と同様の側面図である。
【図４】図４は、図３の筆記具を右側から見た図である。
【図５】図５は、図１乃至図４に示す筆記具のクリップの様々な図であり、図５ａは側面図であり、図５ｂは上方から見た図であり、図５ｃは下方から見た図であり、図５ｄは図５ａを右側から見た図であり、図５ｅは図５ａを左側から見た図である。
【図６】図６は、図１の筆記具の軸線方向断面図である。
【図７】図７は、図６のVII−VII線に沿った断面図である。
【図８】図８は、第１ハウジング部品の様々な図であり、図８ａは軸線方向断面図であり、図８ｂは上方から見た図であり、図８ｃは図８ａのVIII−VIII線に沿った断面図である。
【図９】図９は、第２ハウジング部品の様々な図であり、図９ａは側方から見た図であり、図９ｂは軸線方向断面図であり、図９ｃは図９ａを右側から見た図である。
【符号の説明】
【００３５】
１０  筆記具
１２  第１ハウジング部品
１４  第２ハウジング部品
１６  第３ハウジング部品
１８  ペン先
２０  キャップ
２２  ねじ連結部
２４、２６  インクカートリッジ
２８  クリップ
３０  リング
３２、３４  クリップ脚部
３６  自由端
３８  挿入開口部
【図１】
2007223319.tif 000003
【図２】
2007223319.tif 000004
【図３】
2007223319.tif 000005
【図４】
2007223319.tif 000006
【図５】
2007223319.tif 000007
【図６】
2007223319.tif 000008
【図７】
2007223319.tif 000009
【図８】
2007223319.tif 000010
【図９】
2007223319.tif 000011
【外国語明細書】
2007223319.tif 000012
2007223319.tif 000013
2007223319.tif 000014
2007223319.tif 000015
2007223319.tif 000016
2007223319.tif 000017
2007223319.tif 000018
2007223319.tif 000019
2007223319.tif 000020
2007223319.tif 000021
2007223319.tif 000022
2007223319.tif 000023
2007223319.tif 000024
2007223319.tif 000025
2007223319.tif 000026